(57)【要約】【課題】再生される楽曲と表示される楽曲情報とが整合していないこと。【解決手段】ＨＤＤ６には、楽曲情報処理プログラムが記憶されている。楽曲情報処理プログラムとは、ＣＰＵ２に対して、メモリカード２０２０に記憶されたＴＯＣとメモリカード２０に記憶された楽曲とが整合するか否かを確認する整合確認処理と、ディスプレイ１１（又はスピーカ１２）に対してＴＯＣに対応する楽曲情報を出力させるか否かを整合確認処理での確認結果に応じて制御する出力制御処理とを実行させるためのプログラムである。【選択図】図１
2007242079.tif 000002
【特許請求の範囲】
【請求項１】
出力部に対して記憶媒体に記憶された目次に対応し楽曲情報データベースに含まれる楽曲情報を出力させる楽曲情報処理装置であって、
前記記憶媒体に記憶された楽曲と前記目次とが整合した場合のみ、前記出力部に対して前記楽曲情報を出力させる制御部を備える楽曲情報処理装置。
【請求項２】
コンピュータに対して、
記憶媒体に記憶された目次と前記記憶媒体に記憶された楽曲とが整合するか否かを確認する整合確認処理と、
出力部に対して前記目次に対応する楽曲情報を出力させるか否かを前記整合確認処理での確認結果に応じて制御する出力制御処理とを実行させるための楽曲情報処理プログラム。
【請求項３】
前記整合確認処理は、
前記目次からそのフレーム数を演算する一の演算ステップと、
前記楽曲に係る再生時間からフレーム数を演算する他の演算ステップと、
前記一の演算ステップで演算されたフレーム数と前記他の演算ステップで演算されたフレーム数とが一致するか否かに係る確認結果を出力する比較ステップとを含むことを特徴とする請求項２に記載の楽曲情報処理プログラム。
【請求項４】
前記整合確認処理は、
前記楽曲に係る再生時間から新たな目次を作成する作成ステップと、
前記目次と前記新たな目次とが一致するか否かに係る確認結果を出力する比較ステップとを含むことを特徴とする請求項２に記載の楽曲情報処理プログラム。
【請求項５】
出力部に対して記憶媒体に記憶された目次に対応し楽曲情報データベースに含まれる楽曲情報を出力させる楽曲情報処理装置であって、
前記記憶媒体に記憶された楽曲と前記目次とが整合部分を有する場合、前記出力部に対して前記整合部分に係る目次に対応する楽曲情報を出力させる制御部を備える楽曲情報処理装置。
【請求項６】
コンピュータに対して、
記憶媒体に記憶された目次と前記記憶媒体に記憶された楽曲とが整合部分を確認する整合確認処理と、
出力部に対して前記整合部分に係る目次に対応する楽曲情報を出力させる出力制御処理とを実行させるための楽曲情報処理プログラム。
【請求項７】
前記整合確認処理は、
前記目次からそのフレーム数を演算する一の演算ステップと、
前記楽曲に係る再生時間からフレーム数を演算する他の演算ステップと、
前記一の演算ステップで演算されたフレーム数と前記他の演算ステップで演算されたフレーム数とが一致する前記目次の部分に係る確認結果を出力する比較ステップとを含むことを特徴とする請求項６に記載の楽曲情報処理プログラム。
【請求項８】
前記整合確認処理は、
前記楽曲に係る再生時間から新たな目次を作成する作成ステップと、
前記目次と前記新たな目次とが一致する部分に係る確認結果を出力する比較ステップとを含むことを特徴とする請求項６に記載の楽曲情報処理プログラム。
【発明の詳細な説明】
【技術分野】
【０００１】
本発明は、楽曲情報を処理する楽曲情報処理装置に関するものであって、より詳しくは、カーマルチメディア機器やパーソナルコンピュータ等に関するものである。
【背景技術】
【０００２】
背景技術として、ＣＤＤＢ（登録商標第４７２０６７５号）技術が知られている。具体的には、ＣＤやデジタル・オーディオファイル等が再生されると、ダイヤルアップまたは常時インターネット接続を介して楽曲情報サーバへの接続が行われ、当該サーバは、再生されているＣＤやデジタル・オーディオファイル等に付された目次（いわゆるＴＯＣ）に対応する楽曲情報を提供する（例えば、特許文献１を参照）。
【０００３】
近年、ＣＤ等に固定された楽曲は、パーソナルコンピュータ等によって半導体メモリやハードディスク等の携帯用記憶媒体に記憶され、携帯用記憶媒体に記憶された楽曲は、第三者の居室や車室内等で聴かれている。背景技術によれば、携帯用記憶媒体に記憶された目次は楽曲情報サーバに送信され、楽曲情報が表示される。
【特許文献１】特表２００５−５２６３４０号公報（第５頁及び第７頁）
【発明の開示】
【発明が解決しようとする課題】
【０００４】
一のＣＤに固定された楽曲の全てが携帯用記憶媒体に記憶された後、その一部の楽曲が他のＣＤに固定された楽曲に書き換えられても、一のＣＤに係る目次が書き換えられるとは限らない。このとき、背景技術によれば、一のＣＤに係る目次に対応する楽曲情報のみが表示されるので、再生される楽曲と表示される楽曲情報とが整合しないという課題があった。
【課題を解決するための手段】
【０００５】
本発明に係る楽曲情報処理装置は、出力部に対して記憶媒体に記憶された目次に対応し楽曲情報データベースに含まれる楽曲情報を出力させる楽曲情報処理装置であって、前記記憶媒体に記憶された楽曲と前記目次とが整合した場合のみ、前記出力部に対して前記楽曲情報を出力させる制御部を備えるものである。本発明における字句の解釈は、次のとおりである。
【０００６】
「楽曲情報」とは、楽曲に付随する情報を広く含む概念である。一例として、楽曲ジャンル、発売日、アーティスト名、タイトル、曲名、歌詞、作曲家や作詞家等がある。
【０００７】
「出力部」とは、情報を出力するための部品又は装置である。一例として、スピーカやディスプレイ等がある。
【０００８】
「記憶媒体」とは、各種情報を記憶するための部品又は装置であって、好ましくは、携帯用途のものである。一例として、半導体メモリ、これを備えるメモリカード、ハードディスクやこれを備える携帯型プレーヤ等がある。
【０００９】
「目次」とは、いわゆるＴＯＣ（Ｔａｂｌｅ  Ｏｆ  Ｃｏｎｔｅｎｔｓ）である。出願時に知られたものとして、フレームで表現されたＴＯＣがある。
【００１０】
「楽曲情報データベース」とは、目次と楽曲情報との対応関係の集合体である。楽曲情報データベースは、バスを介して接続されるハードディスクドライブや通信回線を介して接続されるサーバ等に記憶されている。一般的には、ＣＤＤＢ（登録商標第４７２０６７５号）というデータベースが知られている。
【００１１】
「前記記憶媒体に記憶された楽曲と前記目次とが整合した」とは、前記記憶媒体に記憶された楽曲と前記目次とが矛盾しないこと及び前記記憶媒体に記憶された楽曲から得られるデータと前記目次又は前記目次から得られるデータとが一致することを含む概念である。
【００１２】
「制御部」とは、ハードウエア又はハードウエアとソフトウエアとの協働によって情報処理を具体的に実現するものである。一例として、楽曲情報処理プログラムとコンピュータ（ＣＰＵやＲＡＭ等のハードウエア、以下同じ）との協働がある。
【００１３】
「楽曲情報処理プログラム」とは、コンピュータに対して、記憶媒体に記憶された目次と前記記憶媒体に記憶された楽曲とが整合するか否かを確認する整合確認処理と、出力部に対して前記目次に対応する楽曲情報を出力させるか否かを前記整合確認処理での確認結果に応じて制御する出力制御処理とを実行させるためのプログラムである。
【００１４】
「整合確認処理」とは、好ましくは、前記目次からそのフレーム数を演算する一の演算ステップと、前記楽曲に係る再生時間からフレーム数を演算する他の演算ステップと、前記一の演算ステップで演算されたフレーム数と前記他の演算ステップで演算されたフレーム数とが一致するか否かに係る確認結果を出力する比較ステップとを含むプログラム又は前記楽曲に係る再生時間から新たな目次を作成する作成ステップと、前記目次と前記新たな目次とが一致するか否かに係る確認結果を出力する比較ステップとを含むプログラムである。
【００１５】
本発明に係る楽曲情報処理装置は、出力部に対して記憶媒体に記憶された目次に対応し楽曲情報データベースに含まれる楽曲情報を出力させる楽曲情報処理装置であって、前記記憶媒体に記憶された楽曲と前記目次とが整合部分を有する場合、前記出力部に対して前記整合部分に係る目次に対応する楽曲情報を出力させる制御部を備えるものである。本発明における字句の解釈は、次のとおりである（前述と同じものは省略する）。
【００１６】
「整合部分」とは、前記記憶媒体に記憶された楽曲と前記目次とが部分的に矛盾しないこと及び前記記憶媒体に記憶された楽曲から得られるデータと前記目次又は前記目次から得られるデータとが部分的に一致することを含む概念である。
【００１７】
「制御部」の一例として、楽曲情報処理プログラムとコンピュータとの協働がある。
【００１８】
「楽曲処理プログラム」とは、コンピュータに対して、記憶媒体に記憶された目次と前記記憶媒体に記憶された楽曲とが整合部分を確認する整合確認処理と、出力部に対して前記整合部分に係る目次に対応する楽曲情報を出力させる出力制御処理とを実行させるためのプログラムである。
【００１９】
「整合確認処理」とは、前記目次からそのフレーム数を演算する一の演算ステップと、前記楽曲に係る再生時間からフレーム数を演算する他の演算ステップと、前記一の演算ステップで演算されたフレーム数と前記他の演算ステップで演算されたフレーム数とが一致する前記目次の部分に係る確認結果を出力する比較ステップとを含むプログラム又は前記楽曲に係る再生時間から新たな目次を作成する作成ステップと、前記目次と前記新たな目次とが一致する部分に係る確認結果を出力する比較ステップとを含むプログラムである。
【発明の効果】
【００２０】
本発明は、記憶媒体に記憶された楽曲と目次との整合を確認することによって、正確な楽曲情報を提供することができるという効果を有する。
【発明を実施するための最良の形態】
【００２１】
本発明に係る楽曲情報処理装置を実施するための最良の形態は、図１乃至図７で示される。
【００２２】
＜ハードウエア構成＞本実施の形態に係る楽曲情報処理装置１の構成は、図１で示される。楽曲情報処理装置１は、ＣＰＵ２（「制御部」に相当する）、ＲＯＭ３、ＲＡＭ４（「制御部」に相当する）、Ｉ／Ｏ（インプット／アウトプット）５、ＨＤＤ（「制御部」に相当する）６、スロット７とを備える。これらのハードウエアは、システムバスで接続されている。
【００２３】
Ｉ／Ｏ５には、その入力側にタッチパネル１０が接続されている。他方、その出力側には、ディスプレイ１１（「出力部」に相当する）及びスピーカ１２（「出力部」に相当する）が接続されている。
【００２４】
ＨＤＤ６には、楽曲情報処理プログラムが記憶されている。楽曲情報処理プログラムとは、ＣＰＵ２等に対して、メモリカード２０（「記憶媒体」に相当する）２０に記憶されたＴＯＣ（「目次」に相当する）とメモリカード２０に記憶された楽曲とが整合するか否かを確認する整合確認処理と、ディスプレイ１１（又はスピーカ１２）に対してＴＯＣに対応する楽曲情報を出力させるか否かを整合確認処理での確認結果に応じて制御する出力制御処理とを実行させるためのプログラムである。
【００２５】
ＨＤＤ６には、ＴＯＣに対応付けられた楽曲情報の集合体として楽曲情報データベースが記憶されている。楽曲情報処理装置１がカーマルチメディア端末である場合、一般的には、カーディーラー等が楽曲情報データベースをＨＤＤ６に記憶させる。もちろん、通信装置などが備えられていれば、ＴＯＣが通信回線を介してサーバ装置に送信され、ＴＯＣに対応する楽曲情報が通信回線を介して受信されてもよい。本実施の形態では、楽曲情報として、楽曲ジャンル、発売日、アーティスト名、タイトル、曲名、歌詞、作曲家や作詞家等がある。
【００２６】
スロット７には、メモリカード２０が挿入される。メモリカード２０に記憶された楽曲等は、スロット７を介して読み出される。
【００２７】
＜各データの関係＞各データの関係は、図２で示される。メモリカード２０に記憶された楽曲は、ＣＤ２１に固定された楽曲を源泉とし、最終的にはスピーカ１２で出力される。本実施の形態では、楽曲は、ＣＤ２１ａ及びＣＤ２１ｂに固定されたものを源泉とする。
【００２８】
メモリカード２０に記憶されたＴＯＣは、楽曲数や再生時間等をフレームで表現したものであって、ＣＤ２１に固定されたＴＯＣを源泉とする。本実施の形態では、メモリカード２０に記憶された楽曲がＣＤ２１ａ及びＣＤ２１ｂを源泉とするものであっても、メモリカード２０に記憶されたＴＯＣは、ＣＤ２１ａに固定されたもののみを源泉とする。
【００２９】
メモリカード２０に記憶された各楽曲のＣＤ２１での固定順は、前述のとおり、ＣＤ２１に固定されたＴＯＣを源泉とする。本実施の形態では、メモリカード２０に記憶された固定順は、ＣＤ２１ａに固定されたＴＯＣのみを源泉とする。
【００３０】
メモリカード２０に記憶された各楽曲の再生時間は、前述のとおり、ＣＤ２１に固定されたＴＯＣを源泉とする。各楽曲に係る固定順と再生時間とは、互いに対応付けられてメモリカード２０に記憶されている。本実施の形態では、メモリカード２０に記憶された再生時間は、ＣＤ２１ａ及びＣＤ２１ｂに固定されたものを源泉とする。
【００３１】
ＲＡＭ４に記憶されたＴＯＣフレーム数は、メモリカード２０に記憶されたＴＯＣを源泉とする。
【００３２】
ＲＡＭ４に記憶された記憶フレーム数は、メモリカード２０に記憶された固定順及び再生時間を源泉とする。
【００３３】
ＲＡＭ４に記憶された確認結果は、ＴＯＣフレーム数及び記憶フレーム数を源泉とし、フレーム数が一致するか否か又はフレーム数が一致する部分に対応する固定順を示す。
【００３４】
ＲＡＭ４に記憶された楽曲情報は、メモリカード２０に記憶されたＴＯＣ及びＨＤＤ６に記憶された楽曲情報データベースを源泉とする。
【００３５】
ディスプレイ１１で出力される楽曲情報は、ＲＡＭ４に記憶された確認結果及びＲＡＭ４に記憶された音楽情報を源泉とする。
【００３６】
＜楽曲情報処理＞本実施の形態における楽曲情報処理は、図３乃至図７で示される。ＣＰＵ２は、ＨＤＤ６に記憶された楽曲情報処理プログラムをＲＡＭ４に展開し、メモリカード２０が挿入されたことを割込みとして、楽曲情報処理を実行する。楽曲情報処理は、以下で示されるとおり、整合確認処理及び出力制御処理からなる。
【００３７】
＜整合確認処理＞本実施の形態における整合確認処理は、図３で示される。ＣＰＵ２は、メモリカード２０に記憶されたＴＯＣからＴＯＣフレーム数を演算する（ステップＳ１）。ＴＯＣは、各楽曲をフレーム位置で区別しているので、固定順第Ｎ番目の楽曲に係るＴＯＣフレーム数は、当該楽曲に係る始点に対応するフレーム位置と終点に対応するフレーム位置との差分値である。各楽曲に係るＴＯＣフレーム数は、固定順に対応付けてＲＡＭ４に記憶される。
【００３８】
ステップＳ１でＴＯＣフレーム数が演算されると、ＣＰＵ２は、ＲＡＭ４に記憶された再生時間から記憶フレーム数を演算する（ステップＳ２）。演算式は、「記憶フレーム数＝再生時間／１フレーム当たりの再生時間」である。１フレーム当たりの再生時間は、内部データとしてＲＡＭ４に展開されている。演算された記憶フレーム数は、再生時間に付された固定順に対応付けてＲＡＭ４に記憶される。
【００３９】
ステップＳ２で記憶フレーム数が演算されると、ＣＰＵ２は、ステップＳ２で演算された記憶フレーム数をメモリカード２０に記憶された固定順に従って整列する（ステップＳ３）。整列された記憶フレーム数は、ＲＡＭ４に記憶される。
【００４０】
ステップＳ３で記憶フレーム数が整列されると、ステップＳ４で両フレーム数が比較されると、ＣＰＵ２は、ステップＳ１で演算されたＴＯＣフレーム数とステップＳ３で整列された記憶フレーム数とが一致するか否か又は両フレーム数が一致する部分の固定順を確認結果として出力する（ステップＳ４）。両フレーム数の対比は、ＴＯＣフレーム数に付された固定順に従って行われる。
【００４１】
＜整合確認処理の適用例１＞整合確認処理の適用例１は、図４で示される。適用例１では、ＣＤ２１ａ及びＣＤ２１ｂに固定された楽曲がメモリカード２０に記憶されたことが想定されている。具体的には、ＣＤ２１ａでの固定順が第１番目から第４番目までの楽曲がメモリカード２０に記憶され、ＣＤ２１ａに固定されたＴＯＣもメモリカード２０に記憶されている。その後、他のＣＤ２１ｂに固定された２つの楽曲が第１番目から第４番目までに固定された楽曲がメモリカード２０に記憶された後に、ＣＤ２１ｂから２つの楽曲がメモリカード２０に記憶され、第４番目に固定された楽曲が消去された場合が想定されている。
【００４２】
ＲＡＭ４に記憶されたＴＯＣにおいて、第１番目の楽曲、第２番目の楽曲、第３番目の楽曲及び第４番目の楽曲は、それぞれ、フレーム位置０〜２０００、２０００〜３０００、３０００〜６５００及び６５００〜８０００で定義されている。ステップＳ１によれば、ＴＯＣフレーム数は、固定順第１番目から第４番目までについて、それぞれ、２０００、１０００、３５００及び１５００である。
【００４３】
メモリカード２０には、固定順第３番目に対応付けられた再生時間４６６６６ｍｓ、第２番目に対応付けれた再生時間１３３３３ｍｓ、固定順に対応付けられていない再生時間３３３３３ｍｓ、固定順第１番目に対応付けれた再生時間２６６６６ｍｓ及び固定順に対応付けられていない再生時間４００００ｍｓがこの順番でＲＡＭ４に記憶されている。ステップＳ２において、１フレーム当たりの再生時間が７５×１０００ｍｓであり、フレーム数について整数値への丸め込み（四捨五入）が行われるとする。ステップＳ２によれば、固定順第３番目に対応付けられた記憶フレーム数３５００、第２番目に対応付けれた記憶フレーム数１０００、固定順に対応付けられていない記憶フレーム数２５００、固定順第１番目に対応付けれた記憶フレーム数２０００及び固定順に対応付けられていない記憶フレーム数３０００がこの順番でＲＡＭ４に記憶される（記憶フレーム数（前）を参照）。
【００４４】
ステップＳ３によれば、ステップＳ２で得られた記憶フレーム数は固定順に整列されて、固定順第１番目に対応付けれた記憶フレーム数２０００、第２番目に対応付けれた記憶フレーム数１０００、固定順第３番目に対応付けられた記憶フレーム数３５００、固定順に対応付けられていない記憶フレーム数２５００及び固定順に対応付けられていない記憶フレーム数３０００がこの順番でＲＡＭ４に記憶される（記憶フレーム数（後）を参照）。
【００４５】
ステップＳ４によれば、ステップＳ１で演算されたＴＯＣフレーム数とステップＳ３で整列された記憶フレーム数とは、固定順第４番目で一致していないので、不一致である旨の確認結果が出力される。他方で、両フレーム数は固定順第１番目から第３番目までで部分的に一致しているともいえるので、一致部分が固定順第１番目から第３番目である旨の確認結果が出力されてもよい。
【００４６】
＜整合確認処理の適用例２＞整合確認処理の適用例２は、図５で示される。適用例２では、ＣＤ２１ａに固定された楽曲のみがメモリカード２０に記憶されているが、アプリケーション仕様によって、ＣＤ２１ａでの固定順とメモリカード２０での記憶順とは異なっていることが想定されている。この場合、ステップＳ１乃至ステップＳ４によれば、ＴＯＣフレーム数と記憶フレーム数とが完全に一致しているので、一致している旨の確認結果が出力される。
【００４７】
＜整合確認処理の変形例＞整合確認処理において、ステップＳ１が削除され、ステップＳ３で整列された記憶フレーム数から新たなＴＯＣを作成する処理が行われてもよい。適用例１と同じ状況下では、ＣＤ２１ａに固定されたＴＯＣとメモリカード２０での新たなＴＯＣとはフレーム位置６５００よりも後で一致しないので、不一致である旨の確認結果が出力される。他方で、ＣＤ２１ａに固定されたＴＯＣとメモリカード２０での新たなＴＯＣとはフレーム位置６５００以前では一致しているので、一致部分がフレーム位置０〜６５００である旨の確認結果が出力される。
【００４８】
＜出力制御処理＞出力制御処理による制御内容と整合確認処理からの確認結果とは、以下の関係を有する。
【００４９】
不一致である旨の確認結果が出力された場合（例えば、適用例１）、ＣＰＵ２は、ディスプレイ１１に対してＴＯＣに対応する楽曲情報を出力させない。このとき、楽曲情報は空白でもよいし、出力しない理由が出力されてもよい（図７（ａ）を参照）。出力しない理由に対応するデータは、内部データとしてＨＤＤ６に記憶されＲＡＭ４に展開されたものである。
【００５０】
部分一致である旨の確認結果が出力された場合（例えば、適用例１）、ＣＰＵ２は、ディスプレイ１１に対してＴＯＣの一致部分（例えば、固定順第１番目から第３番目）に対応する楽曲情報を出力させる（図７（ｂ）を参照）。具体的には、メモリカード２０に記憶されたＴＯＣに対応する楽曲情報がＨＤＤ６に記憶された楽曲情報データベースから読み出され、全固定順のうち一致部分に相当する固定順に係る楽曲情報が出力される。このとき、部分一致である旨が出力されてもよい。
【００５１】
完全一致である旨の確認結果が出力された場合（例えば、適用例２）、ＣＰＵ２は、ディスプレイ１１に対してＴＯＣに対応する楽曲情報を出力させる（図７（ｃ）を参照）。具体的には、メモリカード２０に記憶されたＴＯＣに対応する楽曲情報がＨＤＤ６に記憶された楽曲情報データベースから読み出され、この楽曲情報が出力される。
【００５２】
＜本実施の形態における効果＞本実施の形態によれば、メモリカード２０に記憶されたフレーム数（又はＴＯＣ）とメモリカード２０に記憶された再生時間から演算されたフレーム数（又は新たなＴＯＣ）とが一致しなければ、ＴＯＣに対応する楽曲情報は出力されないので、メモリカード２０の記憶状況にかかわらず正確な楽曲情報を提供することができる。
【００５３】
本実施の形態によれば、メモリカード２０に記憶されたフレーム数（又はＴＯＣ）とメモリカード２０に記憶された再生時間から演算されたフレーム数（又は新たなＴＯＣ）とが一致しなければ、不一致である旨が出力されるので、楽曲情報が出力ｓれない原因をユーザに認識させることができる。
【００５４】
本実施の形態によれば、メモリカード２０に記憶されたフレーム数（又はＴＯＣ）とメモリカード２０に記憶された再生時間から演算されたフレーム数（又は新たなＴＯＣ）とが部分的に一致していれば、部分一致しているＴＯＣに対応する楽曲情報が出力されるので、メモリカード２０の記憶状況にかかわらず正確な楽曲情報を提供することができる。
【００５５】
本実施の形態によれば、メモリカード２０に記憶されたフレーム数（又はＴＯＣ）とメモリカード２０に記憶された再生時間から演算されたフレーム数（又は新たなＴＯＣ）とが部分的に一致していれば、部分一致である旨が出力されるので、楽曲情報の欠如原因をユーザに認識させることができる。
【産業上の利用可能性】
【００５６】
本発明は、正確な楽曲情報を提供することができるという効果を有し、カーマルチメディア機器やパーソナルコンピュータ等として有用である。
【図面の簡単な説明】
【００５７】
【図１】本発明に係る楽曲情報処理装置を実施するための最良の形態の構成を示すハードウエア構成図
【図２】本実施の形態における各データの関係を示す図
【図３】本実施の形態における整合確認処理の流れを示すフロー図
【図４】整合確認処理に係る適用例１におけるデータの変遷を示す図
【図５】整合確認処理に係る適用例２におけるデータの変遷を示す図
【図６】整合確認処理の変形例に係る適用例１におけるデータの変遷を示す図
【図７】（ａ）不一致である旨の確認結果が得られた場合（適用例１）に係る楽曲情報の表示例を示す図（ｂ）部分一致である旨の確認結果が得られた場合（適用例１）に係る楽曲情報の表示例を示す図（ｃ）一致である旨の確認結果が得られた場合（適用例２）に係る楽曲情報の表示例を示す図
【符号の説明】
【００５８】
１    楽曲情報処理装置
２    ＣＰＵ（制御部）
４    ＲＡＭ（制御部）
６    ＨＤＤ（制御部、楽曲情報データベースの所在）
１１    ディスプレイ（出力部）
１２    スピーカ（出力部）
２０    メモリカード（記憶媒体）
【図１】
2007242079.tif 000003
【図２】
2007242079.tif 000004
【図３】
2007242079.tif 000005
【図４】
2007242079.tif 000006
【図５】
2007242079.tif 000007
【図６】
2007242079.tif 000008
【図７】
2007242079.tif 000009